(57)【要約】【課題】ガラス製の天板の耐久性の低下を防止して天板の良好な外観を長期にわたって維持することができるガラストップコンロを提供する。【解決手段】天板１のバーナ開口２の外側周囲に固定され、バーナ開口２から離れた位置に五徳１２の五徳枠１４を着座させる着座部材１８を設ける。着座部材１８は、五徳枠１４の下縁に沿って延びる着座部１９と、着座部１９から起立する起立壁２０とを備える。【選択図】図２
2011002181.tif 000002
【特許請求の範囲】
【請求項１】
コンロ本体と、コンロ本体内に設置されるガスバーナと、ガスバーナを露出させるバーナ開口を有してコンロ本体の上面を覆うガラス製の天板と、複数の五徳爪が環状の五徳枠に連結支持されて該五徳枠の下縁が天板上への当接面とされる五徳とを備えるガラストップコンロにおいて、
前記天板上における前記バーナ開口の外側周囲に固定され、該バーナ開口から離れた位置に前記五徳枠を着座させる着座部材を備え、
前記着座部材は、前記五徳枠の下縁に沿って延びる着座部と、前記五徳枠の少なくとも一方側の周壁面に沿って前記着座部から起立する起立壁とを備えることを特徴とするガラストップコンロ。
【請求項２】
前記着座部材は、前記天板に形成された位置決め孔に挿入して天板を貫通する連結部材を備え、該連結部材を介してコンロ天板に固定されることを特徴とする請求項１記載のガラストップコンロ。
【請求項３】
前記着座部材は、前記五徳枠の周方向に沿って所定間隔を存して複数設けられることを特徴とする請求項１又は２記載のガラストップコンロ。
【請求項４】
前記着座部材の起立壁に上端が開放する凹部を形成し、該凹部に前記五徳枠から張出す前記五徳爪の下端部を係止することを特徴とする請求項１〜３の何れか１項記載のガラストップコンロ。
【請求項５】
前記着座部材と前記天板との間にクッション部材を設けたことを特徴とする請求項１〜４の何れか１項記載のガラストップコンロ。
【発明の詳細な説明】
【技術分野】
【０００１】
本発明は、コンロ本体の上面を覆う天板をガラス製としたガラストップコンロに関する。
【背景技術】
【０００２】
従来、この種のコンロとして、ガスバーナを収容するコンロ本体の上部がガラス製の天板により覆われ、ガスバーナを露出させるために天板に形成されたバーナ開口の周囲に五徳が載置されるガラストップコンロが知られている（例えば、特許文献１参照）。
【０００３】
五徳は、複数の五徳爪が環状の五徳枠に連結支持されており、該五徳枠の下縁が天板の上面に直接当接して載置される。
【０００４】
また、五徳は、調理物を収容した鍋のように比較的重量のある調理容器を支持するだけでなく、ガスバーナから高い熱を受けるために、硬度が比較的高く且つ重量のある金属（例えば鋳造された鉄等）によって形成され、荷重或いは熱による変形や調理容器との接触磨耗等を防止すべく強度や耐久性を向上させている。
【先行技術文献】
【特許文献】
【０００５】
【特許文献１】特開２００４−１７７０９９号公報（段落００２０、図１）
【発明の概要】
【発明が解決しようとする課題】
【０００６】
しかし、硬度が比較的高く且つ重量のある五徳の五徳枠が常に天板の上面に直接接触していると、五徳に載置した鍋やフライパン等を動かしたときなどの衝撃が五徳を介してガラス製天板に伝達され、天板の傷つきや損傷によって天板の外観を損ねるおそれがある。特に、五徳枠の下縁の幅が比較的小さいものでは、天板上への接触面積も小さく、五徳枠からの荷重や衝撃が天板上面の狭い範囲に集中するので、ガラス製の天板の耐久性が低下し易い。
【０００７】
本発明は、以上の点に鑑み、ガラス製の天板の耐久性の低下を防止して天板の良好な外観を長期にわたって維持することができるガラストップコンロを提供することを目的とする。
【課題を解決するための手段】
【０００８】
本発明は、コンロ本体と、コンロ本体内に設置されるガスバーナと、ガスバーナを露出させるバーナ開口を有してコンロ本体の上面を覆うガラス製の天板と、複数の五徳爪が環状の五徳枠に連結支持されて該五徳枠の下縁が天板上への当接面とされる五徳とを備えるガラストップコンロにおいて、前記天板上における前記バーナ開口の外側周囲に固定され、該バーナ開口から離れた位置に前記五徳枠を着座させる着座部材を備え、前記着座部材は、前記五徳枠の下縁に沿って延びる着座部と、前記五徳枠の少なくとも一方側の周壁面に沿って前記着座部から起立する起立壁とを備えることを特徴とする。
【０００９】
本発明によれば、前記着座部材を設け、該着座部材に五徳を着座させるので、五徳を天板上に直に載置した場合に比べて五徳と天板との常時接触による傷つきや損傷を防止することができる。しかも、前記着座部材は、前記バーナ開口の外側周囲に固定されているので、バーナ開口の内周縁から離れた位置で五徳を支持することができ、五徳に載置した鍋やフライパン等の安定性を向上させることができる。
【００１０】
そして、前記着座部材は、五徳枠の下縁に沿って延びる着座部を備えることにより、五徳枠から受ける荷重を着座部材の長手方向に分散させることができ、ガラス製の天板への荷重の集中を防止することによって天板の耐久性の低下を防止することができる。
【００１１】
更に、前記着座部材は、前記起立壁を備えることにより、五徳が確実に位置決めされ、天板上における五徳の不用意な位置ずれ等を防止することができる。しかも、掃除等のために天板上から持ち上げた五徳を再度天板上に載置するときに、起立壁により五徳枠を着座部上に的確に案内することができ、五徳の取り付け作業性が向上する。
【００１２】
また、本発明において、前記着座部材は、前記天板に形成された位置決め孔に挿入して天板を貫通する連結部材を備え、該連結部材を介してコンロ天板に固定されることが好ましい。これによれば、構造簡単として確実に着座部材を天板に固定することができ、天板に着座部材を取り付ける際の作業性も良い。
【００１３】
また、本発明において、前記着座部材は、前記五徳枠の周方向に沿って所定間隔を存して複数設けることができる。これによれば、例えば、着座部材とバーナ開口との間の天板上に煮こぼれ等が流下しても、複数の着座部材の間から着座部材の外側に流出し易くなり、着座部材とバーナ開口との間への汚れの付着を軽減することができる。
【００１４】
また、本発明においては、前記着座部材の起立壁に上端が開放する凹部を形成し、該凹部に前記五徳枠から張出す前記五徳爪の下端部を係止することが好ましい。これにより、五徳をバーナに対して確実に回り止めすることができ、バーナに五徳爪の炙りを防止するための小炎孔が設けられている場合に、五徳爪を小炎孔の位置に確実に対応させることができる。
【００１５】
また、本発明において、前記着座部材と前記天板との間にクッション部材を設けることが好ましい。これによれば、該クッション部材を設けることにより、着座部材から天板に伝達される五徳からの衝撃をクッション部材によって吸収させることができ、天板の耐久性の低下を一層確実に防止することができる。
【図面の簡単な説明】
【００１６】
【図１】本発明の実施形態のガラストップコンロを示す説明的平面図。
【図２】本実施形態の一部を示す説明的断面図。
【図３】着座部材を示す説明的平面図。
【図４】着座部材を示す分解説明図。
【図５】他の連結部材を用いた例を示す説明的断面図。
【図６】他の連結部材を用いた例を示す説明的断面図。
【発明を実施するための形態】
【００１７】
本実施形態のガラストップコンロは、図１に平面視して示すように、例えば、耐熱性に優れた結晶化ガラス等で形成されるガラス製の天板１が装着されたドロップイン式コンロである。
【００１８】
天板１には、バーナ開口２が開設されている。コンロ本体３にはガスバーナ４が収納されており、ガスバーナ４に備えるバーナヘッド５が前記バーナ開口２から露出している。
【００１９】
図２に示すように、コンロ本体３は、その外周にフランジ６を備え、システムキッチンのカウンタートップ７に吊設される。
【００２０】
ガスバーナ４は、コンロ本体３の底板８上に設けた図示しない台座に固定されており、図２に示すように、バーナ開口２と同心に位置するバーナヘッド５に多数の炎孔を備えている。バーナヘッド５の下方と天板１のバーナ開口２の内周縁との間は着脱自在の閉塞板９により閉塞されている。
【００２１】
なお、バーナ開口２の内周縁には、その全周に亘って保護部材１０が設けられている。保護部材１０は、バーナ開口２の内周縁の端面部の損傷を防止するだけでなく、調理中に鍋等の調理容器（図示しない）から吹きこぼれた煮汁等がコンロ本体３内部に流れ込むのを防止する。
【００２２】
図１に示すように、天板１上には、その手前側に、ガスバーナ４を運転操作するための操作摘み１１が配置され、更に、バーナ開口２に対応させて、調理容器を載置する五徳１２が載置されている。
【００２３】
五徳１２は、周方向に間隔を存して配置した複数の五徳爪１３と、これら五徳爪１３を連結する環状の五徳枠１４とで構成されている。本実施形態では、五徳爪１３と五徳枠１４とを夫々鉄系材料（例えば、ステンレス等）で形成した。五徳爪１３は、板状に形成されており、調理容器を支持すべく略水平に延びる支持部１５と、支持部１５から下方に延びる脚部１６とを備えている。五徳枠１４は、図２に示すように、断面視四角形の棒状体により形成されていてその下縁が天板への当接面１７とされている。そして、五徳爪１３の脚部１６の下端部を五徳枠１４に溶接により接合することにより、五徳爪１３と五徳枠１４とを一体に形成している。
【００２４】
また、図２に示すように、天板１には、五徳１２を着座させるための着座部材１８が設けられている。着座部材１８は、図３に示すように、バーナ開口２の外側に所定の距離を存してバーナ開口２を包囲するようにして複数配設されている。各着座部材１８は、五徳枠１４の形状に沿って湾曲する形状に延びており、互いに所定間隔を存して天板１に固定されている。
【００２５】
なお、図示しないが、着座部材１８は単一として環状に形成してもよいが、バーナ開口２と着座部材１８との間に五徳１２上の調理容器から吹きこぼれた煮汁が流下した場合には、本実施形態のように複数の着座部材１８を所定間隔を存して配設すれば、隣り合う着座部材１８の間の間隙を介して着座部材１８の外側に煮汁を流出させることができ、着座部材１８の内側に煮汁が溜まるのを防止することができて有利である。
【００２６】
着座部材１８は、金属製（例えばステンレス等）の帯状板により形成され、図２及び図３に示すように、五徳枠１４の当接面１７を当接して着座させる平坦な着座部１９と、着座部１９の内側縁から起立する起立壁２０とを備えている。起立壁２０は、図２に示すように、五徳枠１４の内周壁面に対向し、着座部１９に着座させた五徳枠１４の位置ずれを防止している。
【００２７】
起立壁２０には、上端が開放する複数の凹部２１が形成されている。凹部２１は各五徳爪１３に対応して設けられており、五徳１２が着座部材１８に着座したとき、五徳爪１３の脚部１６の内側下端部１６ａが凹部２１に係止される。これにより、着座部材１８に着座した状態の五徳１２が回り止めされる。これによれば、バーナヘッド５の各炎孔のうち五徳爪１３の炙りを防止するための小炎孔が設けられている場合に、五徳爪１３を小炎孔の位置に確実に対応させることができる。
【００２８】
また、図２及び図４に示すように、着座部材１８の着座部１９の下側には、着座部材１８を天板１に連結固定するための連結部材として、下方に延びるピン２２が溶接等により固設されている。ピン２２は、天板１に形成された位置決め孔２３に挿入され、天板１を貫通して天板１の裏側に突出するピン２２の下方端部にはねじ部２４が形成されている。そして、ねじ部２４にはナット２５が螺着され、これによって着座部材１８は天板１に固定されている。従って、天板１に着座部材１８を取り付ける際には、ピン２２を天板１の位置決め孔２３に挿通させてナット２５によりねじ固定すればよく、組立て作業性が良い。この際、天板１と着座部材１８との間にパッキン２６が設けられ、天板１とナット２５との間にはパッキン２７及び座金２８が設けられる。天板１と着座部材１８との間のパッキン２６は、クッション性を有していることにより本発明のクッション部材として作用し、これによって着座部材１８から天板１への衝撃の伝達を緩和する。
【００２９】
ここで、着座部材１８を天板１に固定するための他の連結部材として、図５に示すように、ビス２９を用いることができる。この場合には、着座部１９に貫通孔３０を形成し、その上方から貫通孔３０と天板１の位置決め孔２３にビス２９を挿通させる。このとき、ビス２９の頭部は貫通孔３０に没入されるようにし、着座部１９の上面から突出させないようにする。そして、このビス２９にナット２５を螺着することで、着座部材１８は天板１に固定される。なお、ビス２９は図５に示す皿ビスでもよいが、六角の頭部を有するボルト等であってもよい。また、ビス２９に替える連結部材として、図６に示すように、割りピン３１を採用することもできる。この場合には、前記ビス２９と同様に着座部１９の貫通孔３０を介して天板１の位置決め孔２３に割りピン３１を挿通させるが、その後、天板１の裏側に突出する割りピン３１の下方端部の割り曲げ部３２を互いに離間する方向に折り曲げればよい。
【００３０】
また、それ以外には、図示しないが、ピン２２、ビス２９、割りピン３１等の連結部材を用いず、着座部材１８を耐熱性両面接着テープ等で天板１に接着固定してもよい。この場合には、着座部材１８に対するピン２２の溶接作業や、ビス２９や割りピン３１用の貫通孔３０の孔あけ加工が不要となるだけでなく、天板１に位置決め孔２３を形成する作業も不要となり、安価に製造できる利点がある。
【００３１】
以上の構成による着座部材１８は、図２に示すように、着座状態の五徳枠１４に沿って設けられるので、外方から見ても五徳枠１４と一体的に見える。これにより、着座部材１８を天板１に設けたことによる天板１の外観の低下は生じない。しかも、着座部材１８は天板１であってバーナ開口２の外方に離れた位置に設けることができるので、五徳枠１４を大径化して安定性を向上させることができる。このとき、バーナ開口２と着座部材１８との間には比較的大きな間隙が形成されるのでバーナヘッド５の周囲が視覚的に簡素化されて外観が向上する。
【００３２】
また、着座部材１８によって五徳１２が支持されていることで、五徳１２が天板１に直接接触することが防止され、天板１上面の傷つきを防止することができる。特に、着座部材１８の着座部１９が五徳枠１４に沿って長さを有していることにより、五徳１２上で調理容器を激しく動かしたときの衝撃や五徳１２及び調理容器の荷重を着座部１９に沿って分散させることができ、天板１の損傷を確実に防止することができる。
【００３３】
なお、着座部材１８は五徳１２と別体であるので、五徳１２と同一の材料とする必要はなく、例えば、五徳１２よりも軽量な金属（例えば、アルミニウム等）を用いて形成すれば、天板１にかかる荷重を軽減することができて有利である。
【００３４】
また、本実施形態においては、五徳枠１４が平面視円形に形成されているものを示しており、これに対応して湾曲形状の複数の着座部材１８を設けているが、本発明の着座部材の形状は、五徳枠の形状に対応させればよい。即ち、図示しないが、五徳枠が平面視四角形に形成されたものでは、着座部材を平面視四角形状とすることができ、或いは、五徳枠の各辺に沿って直線状の複数の着座部材を所定間隔を存して配設してもよい。なお、五徳枠が平面視四角形に形成されている場合には、前記凹部２１のような五徳の回り止めが不要となる。
【００３５】
また、本実施形態による着座部材１８は、着座部１９の内側縁から起立して五徳枠１４の内周壁面に対向する起立壁２０を備えているが、起立壁の位置は着座部１９の内側に限るものではなく、図示しないが、着座部１９の外側縁から起立する起立壁を設けて、この起立壁を五徳枠１４の外周壁面に対向させてもよい。
【００３６】
また、本実施形態においては、着座部材１８の着座部１９が平坦とされているものを示したが、着座部１９は平坦でなくてもよい。即ち、図示しないが、着座部１９から上方に突出する凸部を、好ましくは合計３箇所に形成し、凸部上に五徳枠１４の当接面１７を当接させることで、がた付きのない五徳枠１４の着座状態を得ることができて有利である。
【００３７】
また、本実施形態においては、五徳枠１４が断面視四角形のものを挙げたが五徳枠の断面視形状はこれに限るものではなく、例えば断面視円形であってもよい。
【符号の説明】
【００３８】
１…天板、２…バーナ開口、３…コンロ本体、４…ガスバーナ、１２…五徳、１３…五徳爪、１４…五徳枠、１７…当接面、１８…着座部材、１９…着座部、２０…起立壁、２１…凹部、２２…ピン（連結部材）、２３…位置決め孔、２６…パッキン（クッション部材）、２９…ビス（連結部材）、３１…割りピン（連結部材）。
【図１】
2011002181.tif 000003
【図２】
2011002181.tif 000004
【図３】
2011002181.tif 000005
【図４】
2011002181.tif 000006
【図５】
2011002181.tif 000007
【図６】
2011002181.tif 000008